(57)【特許請求の範囲】
【請求項１】
データの転送方法を異にする回線網に接続され、接続された回線網に対してデータの送受信を行う送受信部と、
無線ＬＡＮに対してデータの送受信を行う無線ＬＡＮ送受信部と、
印刷装置に対して印刷データを出力する印刷出力部と、
データの入出力を行う入出力部と、
データを蓄積する蓄積部と、
前記無線ＬＡＮ送受信部を介してディジタルカメラから入力されたデータを前記蓄積部に蓄積し、また前記蓄積部に蓄積されているデータを前記送受信部、前記入出力部、前記印刷出力部または前記無線ＬＡＮ送受信部に出力する入出力制御部と、を備えたことを特徴とする入出力装置。
【請求項２】
前記ディジタルカメラはパスワードを保持し、前記無線ＬＡＮ送受信部より転送されたパスワードが前記保持しているパスワードと一致したとき画像データを蓄積する画像メモリへの読出書込を許可するようにしたことを特徴とする請求項１記載の入出力装置。
【請求項３】
前記パスワードを入力部より入力して前記無線ＬＡＮ送受信部より転送させるようにしたことを特徴とする請求項２記載の入出力装置。
【請求項４】
前記無線ＬＡＮ送受信部よりのアクセスを、相手を認証できたものに対してのみアクセスを許可する無線ＬＡＮ許可部を設けたことを特徴とする請求項１乃至３のいずれかに記載の入出力装置。
【請求項５】
前記回線網がＦＡＸ回線、インタネット回線、有線ＬＡＮ回線、またはこれらの組合せであることを特徴とする請求項１乃至４のいずれかに記載の入出力装置。
【請求項６】
前記蓄積部を親展用蓄積部および出力用蓄積部で構成し、前記入出力制御部が入力されたデータに付加されている識別子が親展用識別子であるときは前記親展用蓄積部に蓄積させるようにしたことを特徴とする請求項１乃至５のいずれかに記載の入出力装置。
【請求項７】
前記親展用識別子が送信元を特定できる識別子、送信先を特定できる識別子、または送信元および送信先が特定できる識別子であることを特徴とする請求項６記載の入出力装置。
【請求項８】
前記入出力制御部が、前記蓄積部に蓄積されているデータに付加された識別子に基づいて前記送受信部、前記入出力部また前記印刷出力部に出力するようにしたことを特徴とする請求項１乃至７のいずれかに記載の入出力装置。
【請求項９】
前記蓄積部に蓄積されているデータを前記送受信部、前記入出力部または前記印刷出力部に対応するデータの形式に変換するフォーマット変換部を設けたことを特徴とする請求項８記載の入出力装置。
【請求項１０】
前記入出力装置がファクシミリ装置に装着されていることを特徴とする請求項１乃至９のいずれかに記載の入出力装置。
【請求項１１】
前記入出力装置がプリンタ装置に装着されていることを特徴とする請求項１乃至９のいずれかに記載の入出力装置。
【請求項１２】
前記入出力装置がディジタル複写機またはそれにファクシミリおよびプリンタ機能を合せたディジタル複写機に装着されていることを特徴とする請求項１乃至９のいずれかに記載の入出力装置。
【請求項１３】
前記入出力装置がパーソナルコンピュータ等の情報処理装置に装着されていることを特徴とする請求項１乃至９のいずれかに記載の入出力装置。
【発明の詳細な説明】
【０００１】
【発明の属する技術分野】
本発明はデータの転送方法を異にする回線によって転送されたデータ、入力されたデータおよび無線ＬＡＮによって転送されたデータを蓄積して指定された転送先に転送または印刷装置に転送するディジタルデータの入出力装置に関する。
【０００２】
【従来の技術】
今日ではＦＡＸ、インタネット、ＬＡＮ等により画、図形、文書等をディジタルデータに変換し印刷出力することが行われている。
またパーソナルコンピュータやワープロなどで作成された文書や図形はプリンタによって印刷出力することが行われ、更に印刷された文書、図形、画などを複写することも行われている。
【０００３】
【発明が解決しようとする課題】
前述した各システムや装置を別々に設置した場合は、それらの機器の設置面積が膨大となる他コストも上昇することから、例えばＦＡＸと複写を合せ持つ復号装置が使用されている。
【０００４】
しかしながら、前述した、ＦＡＸ、インタネット、ＬＡＮ等にアクセスし、転送されたデータまたは作成されたデータの印刷、転送および中継を行わせる装置は提供されていない。
【０００５】
本発明はデータの転送方法を異にする回線によって転送されたデータ、入力されたデータおよび無線ＬＡＮによって転送されたデータを指定された転送先に転送または印刷出力する入出力装置を提供することを課題とする。
【０００６】
【課題を解決するための手段】
請求項１の発明においては、データの転送方法を異にする回線網に接続され、接続された回線網に対してデータの送受信を行う送受信部と、
無線ＬＡＮに対してデータの送受信を行う無線ＬＡＮ送受信部と、
印刷装置に対して印刷データを出力する印刷出力部と、
データの入出力を行う入出力部と、
データを蓄積する蓄積部と、
前記無線ＬＡＮ送受信部を介してディジタルカメラから入力されたデータを前記蓄積部に蓄積し、また前記蓄積部に蓄積されているデータを前記送受信部、前記入出力部、前記印刷出力部または前記無線ＬＡＮ送受信部に出力する入出力制御部と、を備える。
請求項２の発明においては、請求項１において前記ディジタルカメラはパスワードを保持し、前記無線ＬＡＮ送受信部より転送されたパスワードが前記保持しているパスワードと一致したとき画像データを蓄積する画像メモリへの読出書込を許可する。
請求項３の発明においては、請求項２において、前記パスワードを入力部より入力して前記無線ＬＡＮ送受信部より転送させる。
【０００７】
請求項４の発明においては、請求項１乃至３のいずれかにおいて、前記無線ＬＡＮ送受信部よりのアクセスを、相手を認証できたものに対してのみアクセスを許可する無線ＬＡＮ許可部を設ける。
請求項５の発明においては、請求項１乃至４のいずれかにおいて、前記回線網がＦＡＸ回線、インタネット回線、有線ＬＡＮ回線、またはこれらの組合せとする。
【０００８】
請求項６の発明においては、請求項１乃至５のいずれかにおいて、前記蓄積部を親展用蓄積部および出力用蓄積部で構成し、前記入出力制御部が入力されたデータに付加されている識別子が親展用識別子であるときは前記親展用蓄積部に蓄積させる。
【０００９】
請求項７の発明においては、請求項６において、前記親展用識別子が送信元を特定できる識別子、送信先を特定できる識別子、または送信元および送信先が特定できる識別子とする。
【００１０】
請求項８の発明においては、請求項１乃至７のいずれかにおいて、前記入出力制御部が、前記蓄積部に蓄積されているデータに付加された識別子に基づいて前記送受信部、前記入出力部また前記印刷出力部に出力する。
【００１１】
請求項９の発明においては、請求項８において、前記蓄積部に蓄積されているデータを前記送受信部、前記入出力部または前記印刷出力部に対応するデータの形式に変換するフォーマット変換部を設ける。
【００１２】
請求項１０の発明においては、請求項１乃至９のいずれかにおいて、前記入出力装置がファクシミリ装置に装着させる。
請求項１１の発明においては、請求項１乃至９のいずれかにおいて、前記入出力装置がプリンタ装置に装着させる。
請求項１２の発明においては、請求項１乃至９のいずれかにおいて、前記入出力装置がディジタル複写機またはそれにファクシミリおよびプリンタ機能を合せたディジタル複写機に装着させる。
【００１３】
請求項１３の発明においては、請求項１乃至９のいずれかにおいて、前記入出力装置がパーソナルコンピュータ等の情報処理装置に装着させる。
【００１５】
【発明の実施の形態】
本発明の実施の形態を図１〜図５を参照して説明する。図１は本発明の実施例の構成図、図２は実施例のデータ蓄積動作のフローチャート、図３および図４は実施例の蓄積データの出力動作のフローチャート、図５は転送動作のフローチャートである。
【００１６】
図１において、１，２および３は、それぞれＦＡＸ回線網、インタネット回線網および有線ＬＡＮ回線網と接続され、該回線網よりデータの受信および送信を行う送受信部、４は親展用蓄積部４Ａ、出力用蓄積部４Ｂおよび保管用蓄積部４Ｃで構成され、データを蓄積する蓄積部、５は入出力制御部、６はフォーマット変換部、７は入力部、８はディジタルデータの入出力を行うインタフェース（Ｉ／Ｏ）、９は表示部、１０はスキャナ、１１は印刷部、１２は音声出力部、１３は出力変換部、１４は無線ＬＡＮ許可部、１５は無線ＬＡＮ送受信部、１６は処理を行うプロセッサ（ＣＰＵ）および２０はディジタルカメラである。
【００１７】
つぎに、図２を参照して、蓄積部４へのデータの蓄積動作について説明する。なお図２は送受信部２と接続されたインタネット回線よりデータの受信が生じた場合を示している。
【００１８】
ステップＳ１０では、入出力制御部５は、送受信部２にインタネット回線網より受信が有ったか否かを判定し、判定がＹＥＳとなるまで待機する。
ステップＳ１１では、入出力制御部５は、受信されたデータに親展用識別子が付加されているか否かを判定し、判定がＹＥＳの場合はステップＳ１２に移る。
【００１９】
なお親展用識別子としては送信元を特定できる送信元識別子、送信先を特定できる送信先識別子またはこれら両方を識別子としてもよく、またはパスワードでもよい。
【００２０】
ステップＳ１２では、入出力制御部５は、受信したデータを親展用蓄積部４Ａに蓄積する。
ステップＳ１１での判定がＮＯの場合はステップＳ１３に移り、入出力制御部５は、受信したデータに保管用識別子が付加されているか否かを判定し、判定がＹＥＳの場合はステップＳ１４に移り、保管用蓄積部４Ｃに受信したデータを蓄積する。
【００２１】
またステップＳ１３での判定がＮＯの場合はステップＳ１５に移り、入出力制御部５は、出力用蓄積部４Ｂに受信したデータを蓄積する。
【００２２】
なお以上の説明はインタネットを対象としたものであるが、ＦＡＸ、有線ＬＡＮおよび無線ＬＡＮの場合はＦＡＸ文およびＬＡＮの転送データの先頭に識別子を付加し、図２で説明したと同様の動作を行わせて蓄積部４にデータを蓄積させる。
【００２３】
また、入力部７で入力して生成されたデータ、Ｉ／Ｏ８を介して入力されたデータおよびスキャナ１０でスキャンされたデータ等の識別子が付加されていないデータに対しては、入力部７より、これらのデータの蓄積に先だって識別子を入力させて図２で説明したと同様の動作を行わせて蓄積部４にデータを蓄積させる。
【００２４】
つぎに、図３および図４を参照して、蓄積部４よりのデータの出力動作を説明する。なお図３および図４は親展用蓄積部４Ａよりの出力動作を示している。
ステップＳ２０では、入出力制御部５は、識別子として送信先識別子が付加されているデータが有るか否かを判定し、送信先識別子が有るものに対してはステップＳ２１に移って送信先を読取る。
【００２５】
ステップＳ２２では、入出力制御部５は、ステップＳ２１で読取った送信先がＦＡＸ回線網、インタネット回線網または有線ＬＡＮ回線網のいずれに属するものであるかを判定し、判定された回線網に対応してフォーマット変換部６に指令して親展用蓄積部４Ａより読出したデータをフォーマット変換する。
【００２６】
ステップＳ２３では、入出力制御部５は、対応する送受信部１，２または３に指令して、フォーマット変換されたデータを送出する。
また、ステップＳ２０での判定がＮＯの場合、すなわち送信先の識別子がないデータに対しては、ステップＳ２４に移って入力部７より識別子を入力させる。
【００２７】
ステップＳ２５では、入出力制御部５は、ステップＳ２４で入力された識別子と同じ識別子が付加されているデータが有るか否かを判定し、一致する識別子が有る場合はステップＳ２６に移る。
ステップＳ２６では、入出力制御部５は、ファイルより出力変換を読取り、印刷の場合はステップＳ２７に移って印刷部１１で蓄積データの印刷を行う。
【００２８】
なお印刷するデータがＦＡＸの場合は出力変換部１３で帯域圧縮を解除させ、また符号文データの場合は出力変換部１３で符号を文字のドットデータに展開して印刷部１１で印刷が行われる。
【００２９】
またステップＳ２６での出力変換が音声の場合はステップＳ２８に移り、音声データが帯域圧縮されていれば出力変換部１３で帯域圧縮を解除し、アナログ信号に変換して音声出力部１２に出力する。
【００３０】
またステップＳ２６での出力変換が画像の場合はステップＳ２９に移り、入出力制御部５は、動画であるか否かを判定し、判定がＹＥＳの場合はステップＳ３０に移り、動画プログラムを立上げ、ステップＳ３１に移って、動画または静止画を表示部９で表示させ、ステップＳ３２に移って出力されたファイルの削除が行われる。
【００３１】
なおファイルを持帰りたい場合はＩ／Ｏ８に例えばフロッピーディスクを接続してコピーすることもできる。
【００３２】
以上説明したように、送信先が識別子があるファイルは自動的にファイルデータが中継され、その他のファイルに対してはパスワードに対応する識別子を入力させ、識別子が一致するものに対してのみ出力ができるようにしているため、機密を保護することができる。
【００３３】
以上は親展用蓄積部４Ａに蓄積されているデータの出力を説明したが、出力用蓄積部４Ｂに蓄積されているデータに対しては入出力制御部５は、図３で説明したステップＳ２４が削除されて、自動的にステップＳ１〜Ｓ３２が実行される。
【００３４】
また保管用蓄積部４Ｃに蓄積されているデータに対しては、ステップＳ２０〜Ｓ２３が削除され、ステップＳ２４で識別子が入力されてステップＳ２５〜Ｓ３２が実行される。なおステップＳ２４での識別子の入力に際しては、蓄積されているファイルの識別子を表示部９に表示させて選択させるようにしてもよい。
【００３５】
このように識別子を表示させて選択させるようにしたことにより、蓄積されているファイルのデータが公表を対象にするデータの場合、容易に必要なものを表示または印刷出力することができる。
【００３６】
以上説明した蓄積部４へのデータの蓄積および蓄積部４よりのデータの出力は、本発明の入出力装置が例えばオフィス等に設置されている場合であるが、入出力装置が、例えば店頭などに設置されている場合は無線ＬＡＮとの間に問題が発生する。
【００３７】
すなわち、オフィスに設置されている場合は無線ＬＡＮ送受信部１５と無線によって接続される装置が予め決められたものであるのに対して、店頭に設置される場合は不特定多数となり、本発明の入出力装置を使用しない装置よりの電波も無線ＬＡＮ送受信部１５で受信され、データの転送が行われることがある。
【００３８】
このため本発明では、無線ＬＡＮ許可部１４を設けて無線ＬＡＮ送受信部１５を介してのアクセスを制限している。
つぎに、前述した不特定多数の場合の無線ＬＡＮの動作を図５を参照して説明する。
【００３９】
なお動作の説明は、図１に示すカメラ２４で撮像された画像データが画像メモリ２３に蓄積され、パスワード制御部２２を介して無線ＬＡＮ送受信部２１によって送受されるディジタルカメラ２０と無線ＬＡＮ送受信部１５と接続する場合について説明する。
【００４０】
ステップＳ４０では、無線ＬＡＮ許可部１４は、無線ＬＡＮ送受信部１５で受信した認証番号と該認証番号を受信した回線番号を図示しないメモリに記録する。
無線ＬＡＮでは、このＬＡＮに接続可能な全ての装置は唯一のネットワークアドレスを持っている。したがって、ステップＳ４０ではディジタルカメラ２０より送出され、無線ＬＡＮ送受信部１５で受信されたネットワークアドレスを認証番号とし、認証番号を受信した無線回線番号とともに記録する。
【００４１】
ステップＳ４１では、ディジタルカメラ２０を所持する所持者は入力部７より認証番号を入力する。
ステップＳ４２では、無線ＬＡＮ許可部１４は、ステップＳ４０で記録されている認証番号の中でステップＳ４１で入力された認証番号と一致する無線回線に対してアクセスを許可する。
【００４２】
ステップＳ４３では、ディジタルカメラ２０の所持者はディジタルカメラ４０を特定するパスワードを入力部７より入力する。
ステップＳ４４では、入出力制御部５は、ステップＳ４３で入力されたパスワードを許可した無線回線に転送し、無線ＬＡＮ送受信部１５より送出する。
【００４３】
ステップＳ４５では、ディジタルカメラ２０のパスワード制御部２２は、無線送受信部２１で受信したパスワードが記録されているパスワードと一致するか否かを判定する。
【００４４】
一致しない場合は動作を終了する。
一致する場合はステップＳ４６に移り、画像メモリ２３に蓄積されている画像データを読出し、無線ＬＡＮ送受信部２１より送出する。
【００４５】
ステップＳ４７では、入出力制御部５は、無線ＬＡＮ送受信部１５で受信された画像データを蓄積部４に蓄積する。
ステップＳ４８では、画像データの蓄積が終了すると無線ＬＡＮ許可部１４はアクセスの許可を解除する。
【００４６】
蓄積部４に蓄積された画像データは図３および図４で説明した方法により読出され、印刷、転送、出力が行われる。
なお実施例ではディジタルカメラ２０よりデータを転送させる場合について説明したが、入出力装置よりデータを転送させる場合は、パスワードが一致した装置のみ受信したデータを蓄積するようにすればよい。
【００４７】
以上説明した実施例は本発明の入出力装置がファクシミリ装置に装着した場合を想定したものであるが、プリンタ、ディジタル複写機またはそれにファクシミリおよびプリンタ機能を合せた複合機、またはパーソナルコンピュータ等の情報処理装置に装着してもよい。
【００４８】
【発明の効果】
以上説明したように、本発明によればデータ転送方法が異なる回線によって転送されたデータ、入力されたデータおよび無線ＬＡＮによって転送されたディジタルカメラからのデータを、指定された転送先に転送または印刷出力することができる。
また、以上のように対処できるためコストや設置スペースを低減することができる。
【図面の簡単な説明】
【図１】本発明の第１の実施例の構成図である。
【図２】データ蓄積動作のフローチャートである。
【図３】蓄積データの出力動作のフローチャートである。
【図４】蓄積データの出力動作のフローチャートである。
【図５】無線ＬＡＮ動作のフローチャートである。
【符号の説明】
１，２，３  送受信部
４          蓄積部
４Ａ        親展用蓄積部
４Ｂ        出力用蓄積部
４Ｃ        保管用蓄積部
５          入出力制御部
６          フォーマット変換部
７          入力部
８          インタフェース（Ｉ／Ｏ）
９          表示部
１０        スキャナ
１１        印刷部
１２        音声出力部
１３        出力変換部
１４        無線ＬＡＮ許可部
１５        無線ＬＡＮ送受信部
１６        プロセッサ（ＣＰＵ）
２０        ディジタルカメラ
２１        無線ＬＡＮ送受信部
２２        パスワード制御部
２３        画像メモリ
２４        カメラ
【図１】
0003854441.tif 000002
【図２】
0003854441.tif 000003
【図３】
0003854441.tif 000004
【図４】
0003854441.tif 000005
【図５】
0003854441.tif 000006